(57)【要約】【課題】衣類のポケット、ハンドバッグ等に入れて容易に携帯することができる小型、軽量かつ安価な口腔洗浄器を提供する。【解決手段】容器本体１には洗浄液３を収納するタンク５と、該タンク５に連結されたポンプ７と、該ポンプ７の電源９と、該ポンプ７から送られた洗浄液３を噴出させるノズル１１とを備えさせたことを特徴とする口腔洗浄器。前記タンク５は、好ましくは、容器本体１に対し着脱自在であり、更に好ましくは、予め洗浄液３を充填した別のタンク５’と交換自在である。【選択図】図１
0003151702.tif 000002
【実用新案登録請求の範囲】
【請求項１】
容器本体には洗浄液を収納するタンクと、該タンクに連結されたポンプと、該ポンプの電源と、該ポンプから送られた洗浄液を噴出させるノズルとを備えさせたことを特徴とする口腔洗浄器。
【請求項２】
前記タンクは、予め洗浄液を充填した別のタンクと交換自在であることを特徴とする請求項１に記載の口腔洗浄器。
【考案の詳細な説明】
【技術分野】
【０００１】
本考案は、口腔洗浄器に関するものであり、更に詳しくは、ノズルの先端から洗浄液を歯、歯肉、歯間部等に噴射することにより、当該部分に残留する食物の残渣等を除去するようにした携帯用の口腔洗浄器に係るものである。
【背景技術】
【０００２】
ノズルの先端から洗浄液を歯、歯肉、歯間部等に噴射するようにした口腔洗浄器は、例えば実用新案登録第２５９４６６４号公報等に示すものが知られている。
【先行技術文献】
【特許文献】
【０００３】
【特許文献１】実用新案登録第２５９４６６４号公報
【考案の概要】
【考案が解決しようとする課題】
【０００４】
上記従来の口腔洗浄器は、ノズルの先端から洗浄液を歯、歯肉、歯間部等に噴射することにより、当該部分に残留する食物の残渣等を除去するという点では優れてはいるものの、大型ないし構造が複雑であるため、製造コストが嵩むと共に、携帯には適さないという問題がある。
【０００５】
本考案は、上記従来の口腔洗浄器における上述の如き問題を解決し、衣類のポケット、ハンドバッグ等に入れて容易に携帯することができる小型、軽量かつ安価な口腔洗浄器を提供しようとしてなされたものである。
【課題を解決するための手段】
【０００６】
上記課題を解決するために、本考案は、下記の口腔洗浄器を提供するものである。
【０００７】
（１）容器本体には洗浄液を収納するタンクと、該タンクに連結されたポンプと、該ポンプの電源と、該ポンプから送られた洗浄液を噴出させるノズルとを備えさせたことを特徴とする口腔洗浄器（請求項１）。
【０００８】
（２）前記タンクは、予め洗浄液を充填した別のタンクと交換自在である（請求項２）。
【考案の効果】
【０００９】
［請求項１の口腔洗浄器］
請求項１の口腔洗浄器は、容器本体には洗浄液を収納するタンクと、該タンクに連結されたポンプと、該ポンプの電源と、該ポンプから送られた洗浄液を噴出させるノズルとを備えさせてなるものであり、小型、軽量かつ安価に製造することができる。
【００１０】
したがって、該口腔洗浄器は、衣類のポケット、ハンドバッグ等に入れて容易に携帯することができる。すなわち、該口腔洗浄器は、自宅で使用することができるだけでなく、仕事場、外出先、旅行先等においても手軽に使用することができる。
【００１１】
なお、該口腔洗浄器により洗浄液を歯、歯肉、歯間部等に噴射することにより、当該部分に残留する食物の残渣等を除去することができるため、歯肉を傷めることなく口腔内を清潔にし、雑菌の繁殖を防止することができることはいうまでもない。
【００１２】
［請求項２の口腔洗浄器］
請求項２の口腔洗浄器においては、容器本体に備えさせたタンクは、該タンク内の洗浄液が終わり又はその残量が少なくなったときには、予め洗浄液を充填した別のタンクと交換自在である。すなわち、洗浄液のタンクは、カセット式ないしカートリッジ式であり、仕事場、外出先、旅行先等においても手ないし着衣を汚すことなく極めて容易に交換することができる。  
【図面の簡単な説明】
【００１３】
【図１】図１は、本考案による口腔洗浄器の一例を示す断面図である。
【図２】図２は、同上口腔洗浄器の使用状態の一例を示す側面図である。
【考案を実施するための形態】
【００１４】
符号１に示すものは口腔洗浄器の容器本体である。
【００１５】
容器本体１は、衣類のポケット、ハンドバッグ等に入れて携帯するに適し、かつ、片手で把持し易い大きさと形状とを備えたものであり、例えば金属、合成樹脂等により形成する。容器本体１は、一例として、略円筒状をなす。
【００１６】
容器本体１には洗浄液３を収納するタンク５と、該タンク５に連結されたポンプ７と、該ポンプ７の電源９と、該ポンプ７から送られた洗浄液３を噴出させるノズル１１とを備えさせる。
【００１７】
洗浄液３は、特に限定されるものではなく、例えば歯周病等の予防ないし治療に有効な抗菌剤ないし抗炎症剤を含む薬液であってもよいが、水ないし塩水であっても差し支えない。
【００１８】
タンク５は、好ましくは容器本体１に対し着脱自在とする。すなわち、タンク５内の洗浄液が終わり又はその残量が少なくなったときには、該タンク５を容器本体１から取り外し、該タンク５に新しい洗浄液３を充填し、該タンク５を再び容器本体１に取り付ける。
【００１９】
また、タンク５は、該タンク５に新しい洗浄液３を充填することに代え、予め洗浄液３を充填した別のタンク５’と交換自在としてもよい。
【００２０】
当該別のタンク５’は、いわばカセット式ないしカートリッジ式のタンクであり、予め洗浄液３が充填され、適宜のシール手段（図示せず。）によりシールされている。すなわち、タンク５内の洗浄液３が終わり又はその残量が少なくなったときには、該タンク５を容器本体１から取り外し、予め洗浄液３を充填した別のタンク５’のシールを剥がし、当該別のタンク５’を容器本体１における所定の位置に取り付けるのである。
【００２１】
図示の事例においては、ポンプ７は第一の連結管１２を介してタンク５に連結されている。
【００２２】
図示の事例においては、タンク５、５’の上面は、一例として略円錐状の凹陥部１３を有し、該凹陥部１３の中心に第一の連結管１２の挿通孔１５が形成されている。すなわち、タンク５、５’の上面に凹陥部１３を形成し、該凹陥部１３の中心に第一の連結管１２の挿通孔１５を形成することにより、タンク５、５’を容器本体１における所定の位置に取り付ける際に、第一の連結管１２は挿通孔１５に容易に挿入される。
【００２３】
ポンプ７の電源９としては、例えば充電可能な電池を用いる。
【００２４】
容器本体１にはポンプ７から送られた洗浄液３を噴出させるノズル１１を備えさせる。
【００２５】
ノズル１１は、好ましくは、容器本体１の中心線に対し、先端部１９を一方に湾曲ないし屈曲させる。
【００２６】
図示の事例においては、ノズル１１は第二の連結管２１を介してポンプ７に接続されており、該連結管２１に対し着脱自在である。
【００２７】
符号２３に示すものはスイッチである。スイッチ２３は、例えば、洗浄液３の噴出／停止の切替と洗浄液３の吐出力の強弱の調節とを行なうものとする。
【符号の説明】
【００２８】
１  容器本体
３  洗浄液
５  タンク
５’  タンク
７  ポンプ
９  電源
１１  ノズル
１２  第一の連結管
１３  凹陥部
１５  挿通孔
１９  先端部
２１  第二の連結管
２３  スイッチ
【図１】
0003151702.tif 000003
【図２】
0003151702.tif 000004